(57)【要約】【課題】従来のワイヤレス画像伝送システムでは、画質を優先すると常に応答速度が遅くなり、ユーザーに不快感を与えていた。【解決手段】画像を分割して圧縮し、処理速度が遅いときや静止画の時は全ての分割圧縮データに表示フラグを付加し、速度優先モードとする。処理速度が速いときや動画の時は最後に送信する分割圧縮データにのみ表示フラグを付加し、画質優先モードとする。画像投影装置は表示フラグが付加されている圧縮データを伸張したときのみ表示を更新する。速度優先モードと画質優先モードの自動切換えによりユーザーの不快感を解消する。【選択図】図１２
2006243324.tif 000002
【特許請求の範囲】
【請求項１】
画像を生成する画像生成装置と、前記画像生成装置から伝送された画像を投影する画像投影装置とから構成される画像伝送システムであって、
前記画像生成装置は、
画像をキャプチャする画像キャプチャ手段と、
キャプチャした画像を領域毎に分割して圧縮する分割圧縮手段と、
領域毎に分割圧縮したデータに、即座に表示を行うかどうかを示す表示フラグを付加するか付加しないかを判断する表示フラグ選択付加手段と、
分割圧縮したデータ毎に伝送する伝送手段と、
を備え、
前記画像投影装置は、
分割圧縮したデータをデータ毎に受信する手段と、
圧縮を伸張する伸張手段と、
データ毎に表示フラグが存在するかを判定し、表示フラグが存在するデータを伸張した後に表示を更新する更新手段と、
を備えることを特徴とする画像伝送システム。
【請求項２】
前記表示フラグ選択付加手段は、
前記画像生成装置または前記画像投影装置の処理速度に基づいて表示フラグを付加するかどうかを選択することを特徴とする請求項１に記載の画像伝送システム。
【請求項３】
前記表示フラグ選択付加手段は、
前記画像生成装置が表示している画像が連続して変化しているかどうかにより表示フラグを付加するかどうか選択することを特徴とする請求項１に記載の画像伝送システム。
【請求項４】
前記表示フラグ選択付加手段は、
分割圧縮したデータ全てに表示フラグを付加するか、分割圧縮したデータの内、最後に伝送するデータにのみ表示フラグを付加するかを選択することを特徴とする請求項１または請求項２に記載の画像伝送システム。
【請求項５】
前記表示フラグ選択付加手段は、
前記画像生成装置または前記画像投影装置の処理速度が所定の基準より遅い場合には、分割圧縮したデータ全てに表示フラグを付加し、処理速度が所定の基準より速い場合には分割圧縮したデータの内、最後に伝送するデータにのみ表示フラグを付加することを特徴とする請求項１に記載の画像伝送システム。
【請求項６】
前記表示フラグ選択付加手段は、
前記画像生成装置が表示している画像が連続して変化していない場合には分割圧縮したデータ全てに表示フラグを付加し、画像が連続して変化している場合には、分割圧縮したデータの内、最後に伝送するデータにのみ表示フラグを付加することを特徴とする請求項１に記載の画像伝送システム。
【請求項７】
画像を生成する画像生成装置から前記画像を投影する画像投影装置に前記画像を伝送する画像伝送方法であって、
前記画像生成装置において、
画像をキャプチャする画像キャプチャステップと、
キャプチャした画像を領域毎に分割して圧縮する分割圧縮ステップと、
領域毎に分割圧縮したデータに、即座に表示を行うかどうかを示す表示フラグを付加するか付加しないかを判断する表示フラグ選択付加ステップと、
分割圧縮したデータ毎に伝送する伝送ステップと、
を含み、
前記画像投影装置において、
分割圧縮したデータをデータ毎に受信するステップと、
圧縮を伸張する伸張ステップと、
データ毎に表示フラグが存在するかを判定し、表示フラグが存在するデータを伸張した後に表示を更新する更新ステップと、
を含むことを特徴とする画像伝送方法。
【請求項８】
前記表示フラグ選択付加ステップは、
前記画像生成装置または前記画像投影装置の処理速度に基づいて表示フラグを付加するかどうかを選択することを特徴とする請求項７に記載の画像伝送方法。
【請求項９】
前記表示フラグ選択付加ステップは、
前記画像生成装置が表示している画像が連続して変化しているかどうかにより表示フラグを付加するかどうか選択することを特徴とする請求項７に記載の画像伝送方法。
【請求項１０】
前記表示フラグ選択付加ステップは、
分割圧縮したデータ全てに表示フラグを付加するか、分割圧縮したデータの内、最後に伝送するデータにのみ表示フラグを付加するかを選択することを特徴とする請求項７または請求項８に記載の画像伝送方法。
【請求項１１】
前記表示フラグ選択付加ステップは、
前記画像生成装置または前記画像投影装置の処理速度が所定の基準より遅い場合には、分割圧縮したデータ全てに表示フラグを付加し、処理速度が所定の基準より速い場合には分割圧縮したデータの内、最後に伝送するデータにのみ表示フラグを付加することを特徴とする請求項７に記載の画像伝送方法。
【請求項１２】
前記表示フラグ選択付加ステップは、
前記画像生成装置が表示している画像が連続して変化していない場合には分割圧縮したデータ全てに表示フラグを付加し、画像が連続して変化している場合には、分割圧縮したデータの内、最後に伝送するデータにのみ表示フラグを付加することを特徴とする請求項７に記載の画像伝送方法。
【発明の詳細な説明】
【技術分野】
【０００１】
本発明は、パーソナルコンピュータ（以下「ＰＣ」と表記する。）等の画像生成装置からプロジェクタ等の画像投影装置に送信される画像の伝送システムおよび画像伝送方法に関する。
【背景技術】
【０００２】
近年、ＰＣから画像信号を受信して、ＰＣの画面をスクリーン等に投影させるプロジェクタの普及が進んでいる。このプロジェクタは、ＰＣで編集したプレゼンテーション資料をスクリーン上に投影させることにより、伝えたい内容を視覚的に表現することができるので会議や研修会等で多用されている。また画像投影装置としてプロジェクタの代わりにプラズマディスプレイパネル（ＰＤＰ）を用いるシステムも提案されている。
【０００３】
通常、ＰＣとプロジェクタとは、ＲＧＢケーブルを介したアナログ接続やＤｉｇｉｔａｌ  Ｖｉｄｅｏ  Ｉｎｔｅｒｆａｃｅ（ＤＶＩ）を介したデジタル接続により画像信号の受け渡しを行っている。しかし、ＰＣとプロジェクタとを接続する手間がかかり、特に投影させたいデータが複数のＰＣに分かれて保存されている場合等には、その都度ＰＣとプロジェクタの接続をやり直さなければならない。そこで、プロジェクタの使い勝手の改善を目的として、ワイヤレス（無線）ＬＡＮ等を介してＰＣからプロジェクタに画像信号を伝送するワイヤレス映像伝送装置が提案されている。
【０００４】
しかし、一般的に無線ＬＡＮの帯域は有線よりも狭いため、画像信号のデジタルデータをそのまま伝送すると、単位時間あたりの送信枚数（フレームレート）が限定される。通常、ＲＧＢケーブルやＤＶＩ接続の場合は１秒間に６０枚程度の画像を表示できるが、例えばＸＧＡで２４ｂｐｓの画像データであれば、１枚で１８ＭＢｉｔのデータ量があり、例えば１８Ｍｂｐｓの帯域を持った通信路を最大限に利用した場合でも１秒あたり１枚のデータしか送信できない。したがって、デジタルデータを圧縮し伝送する方法が用いられており、圧縮率や圧縮の速度を向上させ、フレームレートを上げる技術が考案されている（例えば特許文献１参照）。
【０００５】
また限られたフレームレートの中での変動を抑えることにより、動きをスムーズにするものが知られている。（例えば特許文献２参照）
その画像伝送システムを図１４に示す。本システムでは、画像生成装置にＰＣ、画像投影装置にＰＤＰを用いた例が説明されている。図１４は、従来の画像伝送システムを構成する送信用ＰＣ５０１および受信用ＰＤＰ５０２のハードウェア構成を示すブロック図である。
【０００６】
図１４において、５１１はキーボード、５１２は液晶パネルなどの表示器、５１３はワイヤレスモデムを装着するためのＰＣカードＩ／Ｆ、５１４は画像メモリ、５１５はＣＰＵを含む制御部、５２０は送信側のワイヤレスモデムである。またＰＤＰ５０２は受信側ワイヤレスモデム５３１、表示器（ＰＤＰ）５３２、ＰＣから送られてきたデータを格納するための画像メモリ５３３、ＣＰＵを含む制御部５３４から構成される。
【０００７】
ＰＣ１の画像メモリ５１４にはＰＤＰ５０２に送信するためのプレゼンテーション画像が格納されている。画像メモリ５１４に格納されているプレゼンテーション画像をＰＣ５０１からＰＤＰ５０２に送信して、ＰＤＰ５０２に表示させる際には、操作者は送信すべきプレゼンテーション画像を指定し、ＰＣ５０１に送信命令を入力するものとする。
【０００８】
送信指令が入力されるとＰＣ５０１上の１頁分の送信画像が選択される。ＰＤＰ５０２では、画像メモリ５３３に空きがあるかどうかを判別し、空きがある場合には許可コマンドをＰＣ５０１に送信する。許可コマンドを送信した場合には、制御部５３４内のＣＰＵの負荷状態をＰＣ５０１に送信する。ＰＣ５０１では負荷状態を受け取り、負荷状況に合わせて、高負荷状態の場合には、送信を行わない。中負荷状態の場合には間欠的に送信を行う。低負荷状態の場合には画像を連続して送信する。ＰＤＰ５０２側の負荷状態が中負荷の時にはフェードイン、フェードアウトなどの特殊効果をはずした間欠的な表示を行い、低負荷状態の時には、フェードイン、フェードアウトを有効とした通常表示を行う。またＰＣ５０１の表示器５１２については、ＰＣ５０１の負荷状態が高いときには表示をせず、負荷状態が低いときに表示を行う。
【特許文献１】特開２００４−１９３８１８号公報（第７〜８頁、第１５頁の図１）
【特許文献２】特開２００１−２２６８１号公報（第４〜６頁、図１）
【発明の開示】
【発明が解決しようとする課題】
【０００９】
しかしながら、上記従来の構成では、ＣＰＵの負荷状態に応じて間欠的表示、通常表示を切り替え、負荷の状況によらずスムーズな表示を行うものであるが、ＣＰＵの負荷状態によって一律に間引くため、ＰＣまたはプロジェクタの処理が遅い場合に、表示までの応答速度が遅くなる、また、動画、静止画にかかわらず、速度を落としてしまうためユーザーに不快感を与えるといった問題があった。
【００１０】
本発明は上記従来の問題点を解決するもので、応答速度優先の速度優先モードと画面の正確さを優先の画質優先モードを自動的に切り替えることで、ユーザーに不快感を与えない画像伝送システムおよび方法を提供することを目的とする。
【課題を解決するための手段】
【００１１】
本発明の請求項１に記載の発明は、画像を生成する画像生成装置と、前記画像生成装置から伝送された画像を投影する画像投影装置とから構成される画像伝送システムであって、前記画像生成装置は、画像をキャプチャする画像キャプチャ手段と、キャプチャした画像を領域毎に分割して圧縮する分割圧縮手段と、領域毎に分割圧縮したデータに、即座に表示を行うかどうかを示す表示フラグを付加するか付加しないかを判断する表示フラグ選択付加手段と分割圧縮したデータ毎に伝送する伝送手段を備え前記画像投影装置は、分割圧縮したデータをデータ毎に受信する手段と、圧縮を伸張する伸張手段と、データ毎に表示フラグが存在するかを判定し、表示フラグが存在するデータを伸張した後に表示を更新する更新手段とを備えることを特徴とする画像伝送システムであり、応答速度優先の速度優先モードと画面の正確さを優先の画質優先モードを自動的に切り替えることで、ユーザーに不快感を与えない画像伝送システムを実現できる。
【００１２】
本発明の請求項２に記載の発明は、前記表示フラグ選択付加手段を、前記画像生成装置または前記画像投影装置の処理速度に基づいて表示フラグを付加するかどうかを選択することとしたものであり、ＰＣまたはプロジェクタの処理が遅い場合には、自動的に速度優先モードを選択し、応答を速く見せること、ＰＣとプロジェクタの処理が速い場合には、応答速度は十分であると判断し、自動的に画質優先モードに移行することができ、ユーザーに不快感を与えない画像伝送システムを実現できる。
【００１３】
本発明の請求項３に記載の発明は、前記表示フラグ選択付加手段を、前記画像生成装置が表示している画像が連続して変化しているかどうかにより表示フラグを付加するかどうか選択することとしたものであり、ＰＣ上の画面が動画であるか、静止画であるかの状況に応じて応答速度優先の速度優先モードと画面の正確さ優先の画質優先モードを自動的に切り替えることができ、ユーザーに不快感を与えない画像伝送システムを実現できる。
【００１４】
本発明の請求項７に記載の発明は、画像を生成する画像生成装置から前記画像を投影する画像投影装置に前記画像を伝送する画像伝送方法であって、前記画像生成装置において、画像をキャプチャする画像キャプチャステップと、キャプチャした画像を領域毎に分割して圧縮する分割圧縮ステップと、領域毎に分割圧縮したデータに、即座に表示を行うかどうかを示す表示フラグを付加するか付加しないかを判断する表示フラグ選択付加ステップと分割圧縮したデータ毎に伝送する伝送ステップとを含み、前記画像投影装置において、分割圧縮したデータをデータ毎に受信するステップと、圧縮を伸張する伸張ステップと、データ毎に表示フラグが存在するかを判定し、表示フラグが存在するデータを伸張した後に表示を更新する更新ステップとを含むことを特徴とする画像伝送方法であり、応答速度優先の速度優先モードと画面の正確さを優先の画質優先モードを自動的に切り替えることで、ユーザーに不快感を与えない画像伝送方法を実現できる。
【００１５】
本発明の請求項８に記載の発明は、前記表示フラグ選択付加ステップを、前記画像生成装置または前記画像投影装置の処理速度に基づいて表示フラグを付加するかどうかを選択することしたものであり、ＰＣまたはプロジェクタの処理が遅い場合には、自動的に速度優先モードを選択し、応答を速く見せること、ＰＣとプロジェクタの処理が速い場合には、応答速度は十分であると判断し、自動的に画質優先モードに移行することができ、ユーザーに不快感を与えない画像伝送方法を実現できる。
【００１６】
本発明の請求項９に記載の発明は、前記表示フラグ選択付加ステップを、前記画像生成装置が表示している画像が連続して変化しているかどうかにより表示フラグを付加するかどうか選択することとしたものであり、ＰＣ上の画面が動画であるか、静止画であるかの状況に応じて応答速度優先の速度優先モードと画面の正確さ優先の画質優先モードを自動的に切り替えることができ、ユーザーに不快感を与えない画像伝送方法を実現できる。
【発明の効果】
【００１７】
以上のように、本発明によると、応答速度優先の速度優先モードと画面の正確さを優先の画質優先モードを自動的に切り替えることで、ユーザーに不快感を与えない画像伝送システムおよび方法を実現することができる。
【００１８】
ＰＣまたはプロジェクタの処理が遅い場合には、自動的に速度優先モードを選択し、応答を速く見せること、ＰＣとプロジェクタの処理が速い場合には、応答速度は十分であると判断し、自動的に画質優先モードに移行すること、また、ＰＣ上の画面が動画であるか、静止画であるかの状況に応じて応答速度優先の速度優先モードと画面の正確さ優先の画質優先モードを自動的に切り替えることができる画像伝送システムを実現できる。
【発明を実施するための最良の形態】
【００１９】
以下、本発明を実施するための最良の形態について図１から図１３を用いて説明する。
【００２０】
（実施の形態１）
まず、本発明の実施の形態１に係る画像伝送システムについて説明する。図１は、本実施の形態１に係る画像伝送システムの外観構成を示す図である。
【００２１】
この伝送システムは、ＰＣ１００からＰＣ１００の表示装置に表示されている画面をプロジェクタ２００に送信し、プロジェクタ２００でスクリーン２０に受信した画面を投影させるシステムであり、ＰＣ１００は、無線ＬＡＮチップが格納された無線ＬＡＮカード１０が取り付けられており、これにより無線ＬＡＮを介してプロジェクタ２００に画像信号を送信する。
【００２２】
図２は本実施の形態１に係る画像伝送システムを構成するＰＣ１００およびプロジェクタ２００のハードウェア構成を示すブロック図である。
【００２３】
図２に示すように、ＰＣ１００は、ＣＰＵ１０１、メインメモリ１０２、記憶装置１０３、グラフィックチップ１０４、ＶＲＡＭ１０５、ディスプレイ１１０に出力する出力ＩＦ１０６キーボード１１１やマウス１１２等の入力装置からユーザーの操作に基づく指示信号を取得するためのユーザーＩＦ１０７、および、ＬＡＮ等を経由してプロジェクタ２００やサーバー等と通信するためのインターフェースであるネットワークＩＦ１０８を備える。
【００２４】
プロジェクタ２００は、ＣＰＵ２０１、メインメモリ２０２、記憶装置２０３、グラフィックスチップ２０４、リサイズＬＳＩ２０５、ＶＲＡＭ２０６、ネットワークＩＦ２０７および出力装置２０８を備える。
【００２５】
図３は、本実施の形態１に係る画像伝送システムを構成するＰＣ１００およびプロジェクタ２００の機能的な構成を示すブロック図である。
【００２６】
図３に示すように、ＰＣ１００は、制御部１２１、表示画面生成部１２２、画像キャプチャ部１２３、ＰＣ通信部１２４、表示出力部１２５、表示フラグ生成部１２６を機能的な構成要素として備える。
【００２７】
制御部１２１は、ＰＣ１００を構成する各部を制御する処理部であり、ＣＰＵ１０１やメインメモリ１０２によって実現され、例えば、表示画面生成部１２２に画面生成指示を出力したり、画像キャプチャ部１２３に画面のキャプチャの指示をしたりする。
【００２８】
また、制御部では、各部の処理時間を計測し、表示フラグ生成部１２６にて表示フラグを生成するかどうかの制御も行う。
【００２９】
表示画面生成部１２２は、制御部１２１から画面生成指示を取得して、ディスプレイ等の表示装置に出力する画面を生成する処理部であり、グラフィックスチップ１０４やＶＲＡＭ１０５等によって実現される。
【００３０】
画像キャプチャ部１２３は、制御部１２１からキャプチャ指示を取得して、表示画面生成部１２２が生成した画面をキャプチャする処理部であり、グラフィックスチップ１０４やメインメモリ１０２等によって実現される。また、画像キャプチャ部１２３は、キャプチャした画像をプロジェクタ２００に送信する画面として、表示フラグ生成部１２６を通してＰＣ通信部１２４に出力する。
【００３１】
ＰＣ通信部１２４は、画像キャプチャ部１２３から表示フラグ生成部１２６を通して送信画面を取得し、送信画面を圧縮およびパケット化してプロジェクタ２００に送信する処理部であり、ＣＰＵ１０１やネットワークＩＦ１０８等により実現される。
【００３２】
表示出力部１２５は、表示画面生成部１２２が生成した出力画面を取得して、表示装置に出力する処理部であり、出力ＩＦ１０６によって実現される。
【００３３】
プロジェクタ通信部２２１は、ＰＣ通信部１２４から圧縮およびパケット化された送信画面を受信し、画像伸張部２２３へデータを渡す処理部であり、ＣＰＵ２０１やネットワークＩＦ２０７等によって実現される。
【００３４】
画像伸張部２２３は、プロジェクタ通信部２２１より渡されたデータを伸張する。これはＣＰＵ２０１やメインメモリ２０２等によって実現される。
【００３５】
制御部２２４は、プロジェクタ２００を構成する各部を制御する処理部であり、ＣＰＵ２０１やメインメモリ２０２によって実現され、例えば画像伸張部２２３の伸張の指示をしたり、表示出力部２２２の表示のタイミング制御を行う。
【００３６】
表示出力部２２２は、画像伸張部から画像を取得してスクリーン上に出力する処理部であり、出力装置２０８、リサイズＬＳＩ２０５、ＶＲＡＭ２０６によって構成される。
【００３７】
表示出力部のタイミング制御は例えば、画像伸張部２２３で伸張した画像をメインメモリ２０２に出力しておき、伸張した画像に表示フラグがついていれば、表示画面を持っているＶＲＡＭ２０６に出力することによって実現できる。
【００３８】
次に、本実施の形態１に係る画像伝送システムの処理手順を説明する。
【００３９】
図４および図５は、ＰＣ１００とプロジェクタ２００の処理を表したシーケンス図である。
【００４０】
まず図４について説明する。ＰＣ１００が起動するとまず、ＰＣ１００のＣＰＵ１０１の性能の測定を行う（Ｓ４１）。性能測定で得られた結果をあらかじめ設定した閾値と比較し動作モードの判定を行う（Ｓ４２）。この性能測定の方法の例としては、あらかじめ用意した計算ルーチンや圧縮ルーチンを処理する時間を測定し、閾値と比較するなどの方法がある。
【００４１】
図４に示すシーケンス図は、設定した閾値よりもＣＰＵ１０１の性能が高かった場合のシーケンスを示している。この場合は画質優先モードで動作する。画質優先モードの詳細については後述する。
【００４２】
閾値判定後、ＰＣ１００に映し出されている画像のキャプチャを行う（Ｓ４３）。その画像を水平方向にあらかじめ設定した分割数で分割する（Ｓ４４）。分割した画像をそれぞれ例えばＪＰＥＧ圧縮にて圧縮する（Ｓ４５、Ｓ４６、Ｓ４７）。圧縮した画像は圧縮が完了した時点で、プロジェクタ２００に伝送し、プロジェクタはデータを受け取った時点から伸張を開始する（Ｓ４９、Ｓ５０、Ｓ５１）。ＰＣ１００では最後の圧縮データを作成した後に１度だけ表示フラグを付加する（Ｓ４８）。プロジェクタ２００では、最後の表示フラグを付加したデータを受信、伸張後、表示を行う（Ｓ５２）。
【００４３】
次に図５について説明する。図５は設定した閾値よりもＣＰＵ１０１の性能が低かった場合のシーケンスを示している。この場合は速度優先モードで動作する。速度優先モードの詳細については後述する。
【００４４】
図４の説明と同様に、ステップＳ６１にてＣＰＵ１０１の性能の測定を行い、ステップＳ６２にてあらかじめ設定した閾値と比較し判定を行う。その後、ＰＣ１００に映し出されている画像のキャプチャを行い（Ｓ６３）、分割する（Ｓ６４）。
【００４５】
分割した画像を例えばＪＰＥＧ圧縮にて圧縮する（Ｓ６５、Ｓ６７、Ｓ６９）が、ここでは圧縮したデータに全て表示フラグを付加する（Ｓ６６、Ｓ６８、Ｓ７０）。分割圧縮したデータは圧縮、フラグ付加後すぐに伝送され、プロジェクタ２００にて伸張される（Ｓ７１、Ｓ７３、Ｓ７５）。この場合には表示フラグが全てに付加されているため、伸張する毎に表示を行っていく。
【００４６】
図６から図１０は画質優先モードと速度優先モードを説明するための模式図である。
【００４７】
図６はＰＣ１００を示しており、ＰＣ画面３０１、図形３０２、３０３、３０４がＰＣ画面３０１に新たに表示されたものとする。この例では、画面３０１を水平方向に領域１から領域４までに分割して圧縮するものとしている。
【００４８】
図７〜図１０はプロジェクタの表示の遷移を表した図である。図７〜図１０の破線３０６は、表示を既に終了した最後のラインを示している。
【００４９】
ＰＣ１００では、領域１、領域２、領域３、領域４に分割して順番に圧縮を行う。まず領域１が圧縮され、表示フラグを付加しプロジェクタ２００に伝送する。その時のプロジェクタの表示が図７である。次に領域２が圧縮され、表示フラグを付加しプロジェクタ２００に伝送する。その時のプロジェクタの表示が図８である。同様に、領域３、領域４が圧縮、伝送されるとプロジェクタの表示は図９、図１０の状態へと遷移する。このように図５のシーケンスの場合、ＰＣ１００の表示の途中段階の画像がプロジェクタ２００から投影されることになる。
【００５０】
一方で図４のシーケンスの場合は、図７〜図９の状態は内部のメインメモリ２０２やＶＲＡＭ２０６には記憶されているが、表示は行わないため、ユーザーは図１０の状態になって初めて投影画面を見ることになる。
【００５１】
このように、図４、図５のシーケンスによって見える状態が異なる。図４のシーケンスの場合には、表示開始までの時間はかかるが、画面の途中段階が見えないため、画像の割れが見えず、正確な表示ができる。したがって、このモードを画質優先モードとした。一方で図５のシーケンスの場合は、表示開始までの時間は早くできるが、途中で画像が割れて見えるため、不正確な表示となる。したがって、このモードを速度優先モードとした。
【００５２】
上述のシステムにより、ＰＣ１００にて表示フラグ制御することで、プロジェクタ２００の表示までの途中段階を見せるか見せないかを制御できる。
【００５３】
すなわち、表示開始までの速度を優先するか、画面割れのない正確な画像を優先するかをＰＣ１００の状態に応じて制御することが可能となる。
【００５４】
このシステムにより、処理速度が遅いＰＣの場合は、表示開始までの速度を優先した速度優先モードにでき、処理が遅いＰＣでも、ＰＣ上の画面に変化が多い際に全く追随できないことを抑制できる。また、ＰＣの処理速度が速い場合は十分に表示開始までの時間が短いと判断し、画面割れのない画質優先モードにできる。
【００５５】
また、このシステムは、ＰＣ上に表示されている画面が動画か静止画かで使い分けることも可能である。動画と静止画の判定の方法は後述の実施の形態２で示す例を利用できる。
【００５６】
動画と判断された場合は画質優先モードを、静止画と判断された場合は速度優先モードのシーケンスを実行する。通常、動きが連続的な動画の場合は、ＰＣ上に表示されてからプロジェクタに投影される時間よりも、画面割れのない正確な画像がユーザーにとって不快感を与えない。また例えば１秒に１回全画面が更新されるといった静止画の場合には、画面割れよりも、表示開始までの時間が短いほど不快感を与えない。
【００５７】
以上のように、このシステムによれば、ＰＣまたはプロジェクタの処理が遅い場合には、自動的に速度優先モードを選択し、応答を速く見せること、ＰＣとプロジェクタの処理が速い場合には、応答速度は十分であると判断し、自動的に画質優先モードに移行することで、また、ＰＣ上の画面が動画であるか、静止画であるかの状況に応じて応答速度優先の速度優先モードと画面の正確さ優先の画質優先モードを自動的に切り替えることができることで、ユーザーに不快感を与えない画像伝送システムを実現できる。
【００５８】
なお、本実施の形態では、ＰＣやプロジェクタのスキャン方向に合わせて画面を水平方向のみに分割する例について示したが、水平・垂直両方に分割してもよく、これに限るものではない。
【００５９】
次に画質優先モードと速度優先モードの切り替えについて別の例について詳しく説明する。図１１はＰＣとプロジェクタの処理速度に応じて画質優先モードと速度優先モードを切り替える例を示したフローチャートである。図１１において、ステップＳ８１はＰＣ１００が処理を開始する起動ステップ、Ｓ８２はＰＣ１００に表示された画像を取得する画像キャプチャステップ、ステップＳ８３は取得した画像を分割して圧縮する分割圧縮ステップ、ステップＳ８４は画質優先モードか速度優先モードがどうか判断するステップ、ステップＳ８５は分割圧縮したデータの内、今処理するデータが最後のデータか判断するステップ、ステップＳ８６は分割圧縮データに表示フラグを付加するステップ、ステップＳ８７は表示フラグを付加しないステップ、ステップＳ８８は分割圧縮したデータおよび表示フラグを伝送するステップ、ステップＳ８９はプロジェクタ２００において、データを受信し、伸張するステップ、ステップＳ９０は表示フラグがあるかないかを判断するステップ、ステップＳ９１はプロジェクタ２００の画面の画像を更新するステップ、ステップＳ９２は分割受信したデータが最後かどうか判断するステップ、ステップＳ９３はステップＳ８２からステップＳ９２までの時間を計測し、ステップＳ９３の処理をする毎にその時間を計測し、保持しておくステップである。
【００６０】
ステップＳ８４の画質優先モードか速度優先モードかどうかの判定は、ステップＳ９３にて測定した処理時間データに基づいて、例えば１秒以上の場合は速度優先モード、１秒未満の場合は、画質優先モードとする。これによりＰＣの速度およびプロジェクタの処理速度が遅い場合には速度優先モード、処理速度が速い場合には画質優先モードとできる。速度優先モードでは全ての分割圧縮したデータに表示フラグを付加し、画質優先モードでは分割圧縮した最後のデータにのみ表示フラグを付加する。これにより、速度優先モードでは、分割圧縮したデータの最初からステップＳ９１にて表示更新が行われることになる。画質優先モードでは最後の分割圧縮のデータを受け取るまで、ステップＳ９１を通らないため、表示更新が行われない。
【００６１】
なお、ここでは１秒を境界に速度優先モードと画質優先モードを切り替える構成としたが、１秒に限るものではなく、例えば０．５秒や２秒としてもよい。
【００６２】
また、毎回ループ時間を更新する構成としたが、起動時１回のみ時間を更新し、その時間によって速度優先モードと画質優先モードを切り替える構成としてもよい。その場合必ずしもＰＣ１００の画像を取り込み分割圧縮する必要もなく、あらかじめ用意したデータを分割圧縮し動作するようにしてもよく、速度測定の方式はこれらに限るものではない。
【００６３】
（実施の形態２）
次に、本実施の形態２に係る画像伝送方法について説明する。
【００６４】
図１２は本実施の形態を説明するためのフローチャートである。ステップＳ９１からステップＳ９７はＰＣ１００の処理であり、ステップＳ９８からＳ１０１まではプロジェクタ２００の処理を示している。
【００６５】
ステップＳ９１はＰＣ１００が処理を開始する起動ステップ、ステップＳ９２はＰＣ１００に表示された画像を取得する画像キャプチャステップ、ステップＳ９３はステップ９２にて取得した画像を分割し圧縮する分割圧縮ステップ、ステップＳ９４は取得した画像が動画か静止画かを判断する動画・静止画判定ステップ、ステップＳ９５は静止画と判断された場合に、すべての分割圧縮されたデータに表示フラグを付加するステップであり、ステップＳ９６は動画モードと判断された場合に分割されたデータの内最後のデータに表示フラグを付加するステップである。ステップＳ９７は分割圧縮されたデータを伝送するステップである。
【００６６】
ステップＳ９８はプロジェクタ２００がＰＣ１００からのデータを受信し、伸張するステップ、ステップＳ９９は受信・伸張したデータに表示フラグがあるかどうかを判断するステップ、ステップＳ１００はフラグがあった場合に表示を更新するステップ、ステップＳ１０１は表示を更新せず伸張したデータを保持するステップである。
【００６７】
この方式では、ステップＳ９２にて画像を取得後、図６で示したものと同様にステップＳ９３にて分割して圧縮する。この時、分割したデータを領域１から領域２、領域３、領域４の順番で圧縮する。分割して圧縮したデータをステップＳ９４の動画・静止画判定にて動画と判断された場合は分割したデータの内、最後のデータつまり領域４のデータに表示フラグを付加し、その他の領域１〜領域３の圧縮データには表示フラグを付加しない（ステップＳ９４）。静止画と判断された場合には、領域１〜領域４の圧縮データ全てに対して表示フラグを付加する（ステップＳ９５）。この静止画と動画の判定については後述する。プロジェクタ２００ではステップＳ９８でデータを受信、伸張後、フラグがある場合にのみ表示更新を行うことで、静止画の場合は速度優先モードで、動画の場合は画質優先モードで動作する。静止画の場合、変化が連続的に起きないため、画面割れが目立ち難い。そこで、ＰＣ１００の画面が変化してから、プロジェクタ２００の表示が変化するまでの時間を優先して、ユーザーに不快感を与えないことができる。動画の場合は、連続的に変化することから、途中段階で表示すると、画面割れが見えやすいため、ユーザーに不快感を与える。この方法を用いれば、動画表示の場合は最後のデータを伸張するまで表示しないため、ユーザーに不快感を与えない。また動画データは連続的に変化しているため、ＰＣ１００の画面が切り替わってからプロジェクタ２００の表示が変わるまでの時間が長い場合でも、ユーザーは待ち時間を感じず、不快感がない。
【００６８】
次に動画・静止画判定の方法について説明する。
【００６９】
図１３は動画・静止画判定の方法の一例を説明するためのフローチャートである。
【００７０】
図１３において、ステップＳ１１１はＰＣの画像を取得する画像キャプチャステップ、ステップＳ１１２は取得した画像を前に取得した画面と比較し、変化領域を算出するステップ、ステップ１１３は比較の結果変化領域があるかどうか判断するステップ、ステップＳ１１４はステップＳ１１３にて変化領域があった場合に、その変化が連続２回以上であるか検出するステップ、ステップ１１５は変化が連続２回以上である場合に、変化した領域がどの位置か算出するステップ、ステップ１１６はステップ１１５にて算出された２回以上の変化領域が同じ位置かどうか判断するステップである。ステップＳ１１７は判定結果が動画モードであることを示し、ステップＳ１１８は判定結果が静止画モードであることを示している。
【００７１】
この方法によれば、変化領域がない場合はステップＳ１１３にて静止画モードと判定され、変化領域がある場合も、連続していなければステップＳ１１４にて静止画モードと判定される。また連続的に変化していても、その領域が違う位置であれば、ステップＳ１１６で静止画モードと判定される。逆に連続的な変化が同じ位置で成されていれば、動画と判断できる。これにより、単純な方法にてＰＣ１００上に表示されている画面が動画かどうか判断できる。
【００７２】
なお、本実施の形態では、動画と静止画の判定方法の一例を示しており、ステップＳ１１５、ステップＳ１１６の処理をしなくして、より単純に動画と静止画の判定をすることも可能である。また、ＰＣ１００にて動画プレイヤーなどのアプリケーションが動作しているかどうかによって判断したり、その動画プレイヤーの動作している位置の表示が変化しているかどうかで判断したりすることもでき、これに限るものではない。
【００７３】
また、本実施の形態では、動画と静止画の判定により、速度優先モードと動画優先モードを切り替える方法について説明したが、本実施の形態１と同様に、ＰＣおよびプロジェクタの処理速度に応じて、速度優先モードと動画優先モードとを切り替えることもできる。
【００７４】
以上のように、本発明の方法によれば、ＰＣ上の画面が動画であるか、静止画であるかの状況に応じて応答速度と画面の正確さを自動的に切り替えることができる。もしくは、ＰＣまたはプロジェクタの処理が遅い場合には、自動的に速度優先モードを選択し、応答を速く見せること、ＰＣとプロジェクタの処理が速い場合には、応答速度は十分であると判断し、自動的に画質優先モードに移行することができる。したがって、ユーザーに不快感を与えない画像伝送方法を実現することができる。
【００７５】
以上、本発明に係る画像伝送システムおよび画像伝送方法について各実施の形態に基づき説明したが、本発明は、これらの実施の形態に限定されるものではない。
【００７６】
例えば、上記実施の形態では、ＰＣとプロジェクタ間の通信は、無線ＬＡＮによるとしているが、有線ＬＡＮやＵＳＢ（Ｕｎｉｖｅｒｓａｌ  Ｓｅｒｉａｌ  Ｂｕｓ）、ＩＥＥＥ１３９４等を用いた通信であってもよいことはいうまでもない。
【００７７】
また、画像投影装置としてプロジェクタを用いて説明したが、ＰＤＰ等の表示装置としてもよい。
【産業上の利用可能性】
【００７８】
本発明にかかる画像伝送システムおよび画像伝送方法は、画像生成装置であるＰＣ等から画像投影装置であるプロジェクタ等に画像を伝送するシステムに適用することができ、特に、ワイヤレスプロジェクタを用いたプレゼンテーション等を行う際に好適である。
【図面の簡単な説明】
【００７９】
【図１】本発明の実施の形態１における画像伝送システムの外観構成を示す図
【図２】同実施の形態１における画像伝送システムを構成するＰＣおよびプロジェクタのハードウェア構成を示すブロック図
【図３】同実施の形態１における画像伝送システムを構成するＰＣおよびプロジェクタの機能的な構成を示すブロック図
【図４】同実施の形態１における画質優先モードの動作を説明するためのシーケンス図
【図５】同実施の形態１における速度優先モードの動作を説明するためのシーケンス図
【図６】同実施の形態１における画面分割を説明するための外観図
【図７】同実施の形態１におけるプロジェクタの表示状態を示す模式図
【図８】同実施の形態１におけるプロジェクタの表示状態を示す模式図
【図９】同実施の形態１におけるプロジェクタの表示状態を示す模式図
【図１０】同実施の形態１におけるプロジェクタの表示状態を示す模式図
【図１１】同実施の形態１における画質優先モードと速度優先モードの切り替え方法を説明するフローチャート
【図１２】本発明の実施の形態２における画像伝送方法を説明するフローチャート
【図１３】同実施の形態２における動画モードと静止画モードの切り替え方法を説明するためのフローチャート
【図１４】従来の画像伝送システムを説明するためのブロック図
【符号の説明】
【００８０】
１０  無線ＬＡＮカード
２０  スクリーン
１００、５０１  ＰＣ
１０１、２０１  ＣＰＵ
１０２、２０２  メインメモリ
１０３、２０３  記憶装置
１０４、２０４  グラフィックスチップ
１０５、２０６  ＶＲＡＭ
１０６  出力ＩＦ
１０７  ユーザーＩＦ
１０８、２０７  ネットワークＩＦ
１１０  ディスプレイ
１１１  キーボード
１１２  マウス
２００  プロジェクタ
２０５  リサイズＬＳＩ
３０１  ＰＣ表示画面
３０５  投影画面
５０２  ＰＤＰ
５１１  キーボード
５１２  表示器（液晶ディスプレイ）
５１３  ＰＣカードＩＦ
５１４、５３３  画像メモリ
５１５、５３４  制御部
５２０、５３１  ワイヤレスモデム
５３２  表示器（ＰＤＰ）
【図１】
2006243324.tif 000003
【図２】
2006243324.tif 000004
【図３】
2006243324.tif 000005
【図４】
2006243324.tif 000006
【図５】
2006243324.tif 000007
【図６】
2006243324.tif 000008
【図７】
2006243324.tif 000009
【図８】
2006243324.tif 000010
【図９】
2006243324.tif 000011
【図１０】
2006243324.tif 000012
【図１１】
2006243324.tif 000013
【図１２】
2006243324.tif 000014
【図１３】
2006243324.tif 000015
【図１４】
2006243324.tif 000016